(57)【特許請求の範囲】
【請求項１】
多数の長尺横桟を，その長手方向に伸縮リンクを複数介設して上下に連結するとともに該長尺横桟の幅方向両端に設置したガイドローラーを，幅方向両端のガイドレールにより開口面上方の湾曲部を介して開口面と開口面交差方向上方の収納部との間で案内してシャッター本体を開閉するようにした縦引シャッターにおいて，上記収納部の幅方向中間位置に奥行方向に向けて該収納部のシャッター本体の開閉移動に伴ってこれに従動し且つ上記長尺横桟の垂下り状の自重撓みとこれによる上記ガイドローラーの内側傾斜に起因するガイドレールへの圧接を防止する下支え支持体を設置し，該幅方向中間位置の下支え支持体によって上記収納部に収納したシャッター本体を下支えの送り支持自在としてなることを特徴とする縦引きシャッターの安定開閉装置。
【請求項２】
上記下支え支持体を，収納部奥行方向に向けて複数列に配置し隣接列間で配置ピッチを相互に１／２又はそれ以下に奥行方向前後にずらすことによって幅方向に可及的平坦とするように配置した複数列のローラーによる下支え支持体としてなることを特徴とする請求項１に記載の縦引きシャッターの安定開閉装置。
【請求項３】
上記下支え支持体を，収納部奥行方向に向けて少なくともその前後端部をプーリー等方向転換部材によって支持して配置した奥行方向に単一又は複数直列配置のベルト等の無端回転体による下支え支持体としてなることを特徴とする請求項１に記載の縦引きシャッターの安定開閉装置。
【請求項４】
上記シャッター本体を，開口面上方位置で上記伸縮リンクを拘束して伸張状態としまた拘束を解除して順次の縮小折畳みを可能とする拘束リンクを設置することによって，上記収納部に強制折畳み収納自在とし，上記下支え支持体を該シャッター本体幅方向中間の上記横桟長手方向中間を下支えの送り支持自在としてなることを特徴とする請求項１，２又は３に記載の縦引きシャッターの安定開閉装置。
【発明の詳細な説明】
【０００１】
【発明の属する技術分野】
本発明は商店街における商店入口のシャッター，住宅の雨戸等として，建物の開口部に設置する縦引シャッターに関し，特にその安定開閉装置に関する。
【０００２】
【従来の技術】
この種縦引シャッターとして，本発明者は，例えばシャッター本体を個別伸縮自在の伸縮リンクを介して多数の横桟を連結するとともに開口面上方位置で上記伸縮リンクを拘束して伸張状態としまた拘束を解除して順次の縮小折畳みを可能とする拘束リンクを設置することによって，幅方向両端のガイドレールによりシャッター本体の幅方向両端に設置したガイドローラーを開口面上方の湾曲部を介して開口面と開口面交差方向の上方収納部との間で案内することによって該シャッター本体を開閉するようにした縦引シャッターを提案している。
【０００３】
【発明が解決しようとする課題】
この場合シャッター本体をある程度幅広とすることによって横桟が長尺化すると，横桟がその自重によって幅方向中間で垂下り状に撓むことがあり，特にアルミ押出材のように比較的軽量な材料を用いた場合にシャッター本体を上方収納部に収納した際にこの傾向が見られ，横桟が撓むとシャター本体が面内方向に幾分縮むから，シャッター本体とその幅方向両端のガイドレールとの位置関係が変化して，シャッター本体に設置したガイドローラーが内側に傾いてガイドレールに圧接して，開口面と上方収納部において湾曲部を介したスムーズな開閉が損われたり，軋み音を生じたりする可能性があり，また設置使用者等に不安感を与えたりする可能性がある。
【０００４】
本発明はかかる事情に鑑みてなされたもので，その解決課題とするところは，縦引きのシャッターを幅広とすることによって生じるシャッター本体の収納部における上記幅方向中間の垂下り状の自重撓みとこれによる幅方向両端のガイドローラーの内側傾斜に起因するガイドレールへの圧接を防止してシャッター本体の安定した開閉を可能として，常にスムーズな昇降開閉をなし得るようにした縦引シャッターの安定開閉装置を提供するにある。
【０００５】
【課題を解決するための手段】
上記課題に沿って本発明は，幅方向両端のガイドレールのシャッター本体の案内を前提として，収納部の幅方向中間位置にシャッター本体の開閉移動に伴ってこれに従動する下支え支持体を設置し，該下支え支持体によってシャッター本体の幅方向中間位置を下支えして該シャッター本体を収納部の前後方向に送り自在とすることによって，その幅方向中間の垂れ下がり状の自重撓みとこれによる上記ガイドローラーの内側傾斜に起因するガイドレールへの圧接を防止し，シャッター本体の安定した開閉を可能として，常にスムーズな昇降開閉をなし得るようにしたものであって，即ち請求項１に記載の発明を，多数の長尺横桟を，その長手方向に伸縮リンクを複数介設して上下に連結するとともに該長尺横桟の幅方向両端に設置したガイドローラーを，幅方向両端のガイドレールにより開口面上方の湾曲部を介して開口面と開口面交差方向上方の収納部との間で案内してシャッター本体を開閉するようにした縦引シャッターにおいて，上記収納部の幅方向中間位置に奥行方向に向けて該収納部のシャッター本体の開閉移動に伴ってこれに従動し且つ上記長尺横桟の垂下り状の自重撓みとこれによる上記ガイドローラーの内側傾斜に起因するガイドレールへの圧接を防止する下支え支持体を設置し，該幅方向中間位置の下支え支持体によって上記収納部に収納したシャッター本体を下支えの送り支持自在としてなることを特徴とする縦引きシャッターの安定開閉装置としたものである。
【０００６】
請求項２に記載の発明は，上記に加えて，上記下支えの送り支持を，下支え支持体の抵抗を可及的に減少して確実且つスムーズになし得るように，下支え支持体を収納部奥行方向にローラーを直列状に配置したものとするとともにこの場合にローラー間に生じるＶ字状の段差を解消してシャッター本体の下支え支持を収納部の奥行方向に可及的均一に行なうものとするように，これを，上記下支え支持体を，収納部奥行方向に向けて複数列に配置し隣接列間で配置ピッチを相互に１／２又はそれ以下に奥行方向前後にずらすことによって幅方向に可及的平坦とするように配置した複数列のローラーによる下支え支持体としてなることを特徴とする請求項１に記載の縦引きシャッターの安定開閉装置としたものである。
【０００７】
請求項３に記載の発明は，同じく上記に加えて，同様にシャッター本体の下支え支持を収納部奥行方向に可及的均一に行なう他の形態を示すように，これを，上記下支え支持体を，収納部奥行方向に向けて少なくともその前後端部をプーリー等方向転換部材によって支持して配置した奥行方向に単一又は複数直列配置のベルト等の無端回転体による下支え支持体としてなることを特徴とする請求項１に記載の縦引きシャッターの安定開閉装置としたものである。
【０００８】
請求項４に記載の発明は，同じく上記に加えて，シャッター本体を幅広とするに好適にして上記幅方向中間の垂れ下がり状の自重撓みを発生する傾向がある縦引きシャッターとして好ましい形態を示すように，これを，上記シャッター本体を，開口面上方位置で上記伸縮リンクを拘束して伸張状態としまた拘束を解除して順次の縮小折畳みを可能とする拘束リンクを設置することによって，上記収納部に強制折畳み収納自在とし，上記下支え支持体を該シャッター本体幅方向中間の上記横桟長手方向中間を下支えの送り支持自在としてなることを特徴とする請求項１，２又は３に記載の縦引きシャッターの開閉安定装置としたものである。
【０００９】
本発明はこれらをそれぞれ発明の要旨として上記課題解決の手段とするものである。
【００１０】
【発明の実施の形態】
以下図面の例に従って本発明を更に具体的に説明すれば，Ａは，例えばアルミ押出材を用いてアルミ製として構成した縦引シャッターであり，該縦引シャッターＡは，多数の長尺横桟１１を，その長手方向に伸縮リンク１４を複数介設して上下に連結するとともに該長尺横桟１１の幅方向両端に設置したガイドローラー１６を，幅方向両端のガイドレール１により開口面上方の湾曲部３を介して開口面と開口面交差方向上方の収納部４との間で案内してシャッター本体１０を開閉するようにした，シースルーのものとしてある。
【００１１】
このとき本例の縦引シャッターＡは，シャッター本体１０を伸縮自在とするとともに開口面交差方向に屈曲自在のものとしてガイドレール１の案内によって上下に昇降する開閉を行なうようにした伸縮且つ屈曲開閉用のものとしてあり，本例にあって該シャッター本体１０は，これを，個別伸縮自在の伸縮リンク１４を介して多数の横桟１１を連結するとともに開口面上方位置で上記伸縮リンク１４を拘束して伸張状態としまた拘束を解除して順次の縮小折畳みを可能とする拘束リンク１８を設置することによって，上記収納部４に強制折畳み収納自在としたものとしてあり，このとき上記拘束の解除は，これをリンクレール２によって屈伸して上記伸縮リンク１４の伸縮をコントロールすることによって行なうようにしてあり，本例の横桟１１は，これをそれぞれ一対の区分桟１２によって構成するとともに該一対の区分桟１２をヒンジ１３で連結することによってシャッター本体１０を上記開口面交差方向に屈曲自在のものとしてある。
【００１２】
即ち本例にあってシャッター本体１０は，開口面の幅に応じて幅広のものとして構成し，該幅広とするために長尺とした上記一対の区分桟１２による横桟１１間に，これら横桟１１をそれぞれ個別に伸縮するように，例えば直線又は湾曲したリンクバー１５をＸ字状に交差して配置したＸ字状の個別伸縮リンク１４をシャッター本体１０の幅方向に複数，本例にあっては多数介設して該横桟１１を上下に連結することによってシャッター本体１０を個別伸縮自在のものとして構成するとともに上記一対の区分桟１２の奥行方向一端部，本例にあっては室内側の側端部をヒンジ１３，本例にあってはアルミ前面ヒンジによって回動自在に連結して，シャッター本体１０をその上下方向の任意の横桟１１位置で屈曲自在としてあり，このとき上記ガイドローラー１６を各横桟１１，本例にあっては上記一対の一方，例えば下方の区分桟１２に，該区分桟１２の長手方向端部から側方に突出するように設置し，該ガイドローラー１６を上記ガイドレール１によって案内して，その昇降開閉を行なうようにしてあり，上記ヒンジ１３連結した一対の区分桟１２の横桟１１を用いることによって，例えば１５ｃｍ程度といったように，極めて小半径にしてコンパクトな湾曲部３を通過してシャッター本体１０が開口面と上方収納部４との間で自由に昇降開閉し得るようにしてある。
【００１３】
このとき上記拘束リンク１８による個別伸縮リンク１４のコントロール，即ち拘束とその解除は，これを，開口面上方位置において行なうようにして，開口面をシャッター本体１０が伸張状態で進行する一方，上方収納部４に縮小状態で収納するようにしてあり，これによって個別伸縮自在のシャッター本体１０によって開閉時に手を挟んだりする危険を解消したものとしてある。
【００１４】
本例において上記拘束リンク１８は，各横桟１１端部間にそれぞれ屈伸自在にしてその屈伸部分に上記リンクレール２によって案内されるリンクガイド２０をリンクレール２側に向けて突設した一対のリンクバー１９によるものとしてあり，このときリンクレール２を開口面においてリンクガイド２０の突設幅に応じてガイドレール１に近接してこれと平行に，開口面上方位置においてガイドレール１から分岐して湾曲部３に至り，上方収納部４において分岐状態で再びガイドレール１に平行に配置し，該リンクレール２によって上記リンクガイド２０を案内することによって，開口面において拘束リンク１８を直立させて個別伸縮リンク１４を伸張状態に拘束して上記シャッター本体１０の伸張状態の進行を行い，開口面上方位置において拘束リンク１８を分岐方向に引寄屈曲させて個別伸縮リンク１４の拘束を解除するようにすることによってシャッター本体１０を縮小し，該縮小状態でシャッター本体１０を上方収納部３に収納するようにしてある。
【００１５】
本例にあって該拘束リンク１８は，上記一対のリンクバー１９を各横桟１１の長手方向両端部，本例にあってはその上下に隣接する一対のうち各下方の区分桟１２の長手方向両端部に，例えば上記ガイドローラ１６設置用の軸と同軸とするように軸支することによってこれらを回動自在に連結する一方，一対のリンクバー１９の自由端側を相互に回動自在に軸支して，該軸支部分乃至その近傍からリンクガイド２０としてのガイドローラー１６を，上記開口面におけるリンクレール２位置に向けて突設したものとしてある。
【００１６】
本例のガイドレール１は，開口面，湾曲部３及び開口面交差方向の上方収納部４に連続するように配置した断面Ｃ字状にして，例えば開口面側，即ち相互に対向方向に開口溝を開口するようにして，ガイドローラー１６の案内を確実に行なうようにし，またリンクレール２は，同じく開口面，湾曲部３及び開口面交差方向の上方収納部４に連続するように配置した開口面，湾曲部３において，例えば同じく開口面側に開口溝を開口するように断面Ｃ字状として，同様にリンクガイド２０の案内を確実に行なうようにし且つ上方収納部４において，例えば断面逆Ｌ字状としてその下面を解放するようにして，リンクガイド２０の上端を所定間隔に保持して上方収納部４におけるシャッター本体１０の縮小状態を維持するようにしてある。
【００１７】
本例においてこのように構成した縦引シャッターＡは，上記収納部４の幅方向中間位置に奥行方向に向けて該収納部４のシャッター本体１０の開閉移動に伴ってこれに従動する下支え支持体３０を設置し，該下支え支持体３０によって上記収納部４に収納したシャッター本体１０をその幅方向中間位置で下支えの送り支持自在としてあり，これによって上記幅広とすることによって生じるシャッター本体１０の収納部４における幅方向中間の垂下り状の自重撓みとこれによる上記幅方向両端のガイドローラーの内側傾斜に起因するガイドレールへの圧接を防止して安定した昇降開閉を可能として，シャッター本体１０の常にスムーズな開閉を確保するようにしてある。
【００１８】
このとき本例の上記下支え支持体３０は，これを，収納部４奥行方向に向けて複数列に配置し隣接列間で配置ピッチを相互に１／２又はそれ以下に奥行方向前後にずらすことによって幅方向に可及的平坦とするように配置した複数列のローラー３３による下支え支持体としてある。
【００１９】
即ち本例の下支え支持体３０は，例えば収納部４の幅方向中央位置に２列のローラー３３を近接して単一の下支え支持体３０を形成するように一体的に配置してあり，このとき該２列のローラー３３は，例えば上向き開口のＣ字状チャンネル材による長尺のローラーケース３１に，それぞれローラー３３の外径幅を配置ピッチとして，ローラー３３同士が近接非接触の状態で回転し得るように上記ローラーケース３１に横断状に設置した軸３２に回転自在に軸支することによって多数設置してあり，該ローラー３３を設置したローラーケース３１は，本例にあってこれを２条用いることによって，上記下支え支持体３０をなすようにしてある。
【００２０】
本例にあって複数，特に２条としたローラーケース３１は断面同一形状にして同長のものを，またローラー３３も同一外径のものをそれぞれ用い，ローラー３３のローラーケース３１への配置ピッチも同一ピッチとして，これらを共通部材としてあり，このとき上記ローラーケース３１は，これを鋼製等の金属製とし，ローラー３３は，例えばゴム，合成樹脂等の半硬質又は軟質にして，金属のローラーを使用したときに予想される，シャッター本体１０の下支えの送り支持に際しての接触音等の騒音を可及的に抑制し得る防音性を備えた材料によるものとしてある。
【００２１】
上記ローラー３３を回転自在に軸支したローラーケース３１は，これを，収納部４に上記近接した状態に並列固定することによって下支え支持体３０を形成するものとしてあり，該ローラーケース３１の並列固定は，本例にあってシャッターケース５間乃至建物壁面間に平行に架設配置した複数の，例えばチャンネル状平行の支持部材３４に，例えばブラケット３５を介して載置固定又は吊り固定する等することによって，収納部４におけるガイドレール１の長さと略同長とするように配置してあり，該収納部４における上記ローラーケース３１の配置は，本例にあって上記シャッターケース３１の並列固定に際して，相互に収納部４奥行方向に上記ローラー３３の半径に応じた長さをずらして，並列固定位置を変位するように行なってあり，該ローラーケース３１の変位の固定設置によって，複数列，特に２列のローラー３３の配置を，収納部４奥行方向に向けて隣接列間で配置ピッチを，本例にあって相互に１／２奥行方向前後にずらすことにより該下支え支持体３０幅方向に可及的平坦とするようにし，シャッター本体１０がローラー３３間のＶ字状段差によって不支持状態となることを避け，常時持ち送り状態とするようにその下支え支持を行うようにしてある。
【００２２】
従って本例の縦引シャッターＡにあっては，シャッター本体１０が上方収納部４に縮小収納されたとき，上記下支え支持体３０によって縮小して相互に隣接配置されることになる各横桟１１長手方向中央位置の確実な持ち送り状の支持がなされる結果，上方収納部４に収納したシャッター本体１０に発生することのある上記幅方向中間の垂下り状の自重撓みを解消することができ，横桟１１が撓むことによるシャッター本体１０，本例にあってはそのガイドローラー１６とその幅方向両端のガイドレール１との位置関係の変化に起因して，ガイドローラー１６が傾斜してガイドレール１に圧接することにより，シャッター本体１０における開口面と上方収納部４の湾曲部３を介したスムーズな案内が損われたり，軋み音を生じたりする可能性を解消して常にスムーズな昇降開閉をなし得るようにすることができ，また設置使用者等に不安感を与えたりする可能性を解消することができる。
【００２３】
図中６はシャッター本体１０の下端，本例にあってはシャッター本体１０の下端に設置した水切座板１７の長手方向両端に一端を固定してシャッター本体１０を吊り支持するワイヤー等の吊り部材，７は該吊り部材６の他端を固定して該吊り部材６を巻取り，巻戻しすることによってシャッター本体１０を昇降開閉するようにしたシャッターケース５乃至建物壁面間に架設設置した回転軸，８は該回転軸７に巻設して上記吊り部材６の巻取り方向に付勢して，例えばシャッター本体１０の手動開閉，特にその上昇開成を軽量化するようにした付勢スプリング，９は上記吊り部材６の方向転換用に適宜位置に設置したプーリーをそれぞれ示す。
【００２４】
図示した例は以上のとおりとしたが，下支え支持体を，上記ローラーとするとき，例えば上記ローラーケースを３乃至それ以上とし，その隣接列間の配置ピッチの奥行方向前後のずらしによる変位を，その配置列に応じて可及的平坦とするように１／２以下とすること，上記下支え支持体を，収納部奥行方向に向けて少なくともその前後端部をプーリー等方向転換部材によって支持して配置した奥行方向に単一又は複数直列配置のベルト等の無端回転体による下支え支持体とすること，下支え支持体を収納部幅方向中間位置に離隔して複数設置すること等を含めて，本発明の実施に当ってガイドレール，シャッター本体，ガイドローラー，下支え支持体，必要に応じて用いる横桟，個別伸縮リンク，拘束リンク等の各具体的材質，形状，構造，これらの関係，これらに対する付加等は，上記発明の要旨に反しない限り様々な形態のものとすることができる。
【００２５】
【発明の効果】
本発明は以上のとおりに構成したから，請求項１に記載の発明は，幅方向両端のガイドレールのシャッター本体の案内を前提として，収納部の幅方向中間位置にシャッター本体の開閉移動に伴ってこれに従動する下支え支持体を設置し，該下支え支持体によってシャッター本体の幅方向中間位置を下支えして該シャッター本体を収納部の前後方向に送り自在とすることによって，その幅方向中間の垂れ下がり状の自重撓みとこれによる幅方向両端のガイドローラーの内側傾斜を防止し，シャッター本体の安定した開閉を可能として，常にスムーズな昇降開閉をなし得るようにした縦引シャッターの安定開閉装置を提供することができる。
【００２６】
請求項２に記載の発明は，上記に加えて，上記下支えの送り支持を，下支え支持体の抵抗を可及的に減少して確実且つスムーズになし得るように，下支え支持体を収納部奥行方向にローラーを直列状に配置したものとするとともにこの場合にローラー間に生じるＶ字状の段差を解消してシャッター本体の下支え支持を収納部の奥行方向に可及的均一に行なうものとすることができる。
【００２７】
請求項３に記載の発明は，同じく上記に加えて，同様にシャッター本体の下支え支持を収納部奥行方向に可及的均一に行なうものとすることができる。
【００２８】
請求項４に記載の発明は，同じく上記に加えて，シャッター本体を幅広とするに好適にして上記幅方向中間の垂れ下がり状の自重撓みを発生する傾向がある縦引きシャッターとして好ましい形態のものとすることができる。
【図面の簡単な説明】
【図１】  縦引シャッターの背面図である。
【図２】  縦引シャッターの縦断面図である。
【図３】  シャッター本体の収納状態を示すガイドレール近傍位置の拡大縦断面図である。
【図４】  収納部の下支え支持体設置状態を示す幅方向中間部の縦断面図である。
【図５】  収納部の下支え支持体設置状態を示す前後方向中間部の縦断面図である。
【図６】  図５の部分拡大図である。
【図７】  シャッター本体とガイドレール及びリンクガイドとの関係を示す部分拡大横断面図である。
【図８】  シャッター本体の幅方向端部の拡大正面図である。
【図９】  拘束リンクの正面図である。
【符号の説明】
Ａ  縦引シャッター
１  ガイドレール
３  湾曲部
４  上方収納部
１０  シャッター本体
３０  中間支持体
３３  ローラー
【図１】
0004689881.tif 000002
【図２】
0004689881.tif 000003
【図３】
0004689881.tif 000004
【図４】
0004689881.tif 000005
【図５】
0004689881.tif 000006
【図６】
0004689881.tif 000007
【図７】
0004689881.tif 000008
【図８】
0004689881.tif 000009
【図９】
0004689881.tif 000010